(57)【要約】      （修正有）【課題】構造が簡単で製造原価が安く、着脱が容易で楽にゴルフバックを運搬できるゴルフバッグ運搬用具を提供する。【解決手段】ゴルフクラブのヘッド部分があり重量が集中するゴルフバッグ口金部１０３に２個の車輪を取り付けたゴルフバッグ運搬用具１０１を着脱自在に取り付ける。また、ゴルフバッグが地面とずれないように持ち上げ、さらに引っ張るための取っ手１０２をゴルフバッグの前袋１０７に取り付ける。【選択図】図１
0003202644.tif 000002
【実用新案登録請求の範囲】
【請求項１】
ブラケット（４）とブラケット（６）とブラケット（５）をＨ型に固定し、ブラケット（４）の先端側に細幅織物（７）を固定し、細幅織物（７）に面ファスナーの片側（フックまたはループ）（９）を固定し、ブラケット（６）の先端側に面ファスナーの反片側（フックまたはループ）（８）を固定し、ブラケット（４）とブラケット（６）の後端には車輪部（２）を取り付け、ブラケット（５）には取っ手（３）を固定したゴルフバッグ運搬用具（１０１）のゴルフバッグ口金位置想像線（１０）の位置にゴルフバッグ口金部（１０３）でショルダーベルト（１０６）用ナスカン（１０４）とハンドル（１０５）の間に取っ手（３）を持って、ブラケット（４）とブラケット（８）の先端側を挿入後、細幅織物締め付け用取っ手（７a）を持って引き締めた後、面ファスナー（８）と（９）を係止させたゴルフバッグ運搬用具（１０１）とゴルフバッグ運搬用具（１０１）を着地後、前袋（１０７）に取り付けた取っ手（１０２）を持ってゴルフバッグを移動させることを特徴とするゴルフバッグ簡易運搬用具とゴルフバッグ。
【考案の詳細な説明】
【技術分野】
【０００１】
本考案はゴルフバッグ運搬用具およびゴルフバッグに関し、より詳しくは必要な時だけ取り付ける運搬用具とゴルフバッグ前袋の下部に取っ手を取り付けたゴルフバッグに関する。
【背景技術】
【０００２】
一般にゴルフバッグは肩にかけたり、持ち上げて運搬すようになっているが、必要な物を収めたゴルフバッグの重量は重く、非力な者には重労働となっていた。ゴルフ場への入場時はゴルフ場関係者が玄関近くで車からゴルフバッグを搬出してくれるため、特に問題はないが、ゴルフ場を退場する時は玄関近くまで車を移動させてゴルフバッグを積み込むか、駐車している車のところまで運搬する必要があった。駐車している車のところまで運搬する際、移動距離が長いと重労働に耐えながら苦労して運搬することになる。このような重労働を解決するために、ゴルフバッグの上部に着脱自在のコンパクトな運搬用具をゴルフバッグの前袋の下部にはコンパクトな取っ手を取り付けた、ゴルフバッグ運搬用具とゴルフバッグを提供する。
【先行技術文献】
【特許文献】
【０００３】
【特許文献１】この種の従来技術としては、特許第３４５７２５２号があるが、ゴルフプレイ中にも使用できる構造になっているため、構造が複雑であり部品点数も多く、車輪部、取っ手部が大型となっており、製造原価が上昇する問題点があった。
【非特許文献】
【０００４】
【非特許文献１】ゴルフ場のカートに乗せてもらい、駐車している車のところまでゴルフバッグを運んでもらう場合もあるが、対応してくれるところは少ない。
【考案の概要】
【考案が解決しようとする課題】
【０００５】
本考案の目的は、構造が簡単で製造原価が安い、着脱が容易な運搬用具とゴルフバッグの前袋の下部に簡単な取っ手を取り付けたゴルフバッグを提供することで、楽にゴルフバッグを運搬できるようにすることである。
【課題を解決するための手段】
【０００６】
本考案の目的は、ブラケット（４）とブラケット（６）とブラケット（５）をＨ型に固定し、ブラケット（４）の先端側に細幅織物（７）を固定し、細幅織物（７）に面ファスナーの片側（フックまたはループ）（９）を固定し、ブラケット（６）の先端側に面ファスナーの反片側（フックまたはループ）（８）を固定し、ブラケット（４）とブラケット（６）の後端には車輪部（２）を取り付け、ブラケット（５）には取っ手（３）を固定したゴルフバッグ運搬用具（１０１）のゴルフバッグ口金位置想像線（１０）の位置にゴルフバッグ口金部（１０３）でショルダーベルト（１０６）用ナスカン（１０４）とハンドル（１０５）の間に取っ手（３）を持って、ブラケット（４）とブラケット（８）を挿入後、細幅織物締め付け用取っ手（７a）を持って引き締めた後、面ファスナー（８）と（９）を係止させたゴルフバッグ運搬用具（１０１）とゴルフバッグ運搬用具（１０１）を着地後、前袋（１０７）に取り付けた取っ手（１０２）を持ってゴルフバッグを移動させることを特徴とするゴルフバッグ簡易運搬用具とゴルフバッグにより達成される。
【考案の効果】
【０００７】
本考案に述べたゴルフバッグ運搬用具とゴルフバッグにより、ゴルフプレイ中は運搬用具を取り外して、通常のプレイが出来、ゴルフプレイが終了後、駐車場の自家用車まで肩にゴルフバッグを掛けたり、持ち上げて運搬する必要がなく、容易に運搬用具を取り付ければほとんどの重量が車輪にかかるため、楽にゴルフバッグを移動できる。
【図面の簡単な説明】
【０００８】
【図１】図１は本考案の全体説明図である。ゴルフバッグの口金部（１０３）にゴルフバッグ運搬用具（１０１）を取り付け、取っ手（１０２）を手で持って移動する様子を示したものである。
【図２】図２は運搬用具（１０１）の正面図である。
【図３】図３は図２の右側面図である。
【図４】図４は車輪部（２）で図３に示すＡ−Ａ’線切断部端面図である。
【考案を実施するための形態】
【０００９】
ゴルフバッグの口金部にゴルフクラブのヘッド部分があり重量が集中するため、口金部に２個の車輪を取り付け付けたゴルフバッグ運搬用具（１０１）を取り付けることと、ゴルフバッグが地面とずれないように持ち上げ、さらに引っ張るための取っ手（１０２）をゴルフバッグの前袋（１０７）に取り付けたことで、ゴルフバッグを楽に移動できることを実現した。
【実施例】
【００１０】
図１は本案の実施例を示す。市販９インチのゴルフバッグの前袋（１０７）のハンドル（１０５）側に取っ手（１０２）を前袋（１０７）用のファスナーの開閉の邪魔にならない位置へ細幅織物を接着して取っ手とした。ボトムグリップが設けてあるゴルフクラブは取っ手（１０２）の代用となるがやや取り扱いにくい。ゴルフバッグ運搬用具（１０１）は図２に示す通り、ブラケット（４）とブラケット（６）は幅３０ｍｍ厚さ１３ｍｍ長さ３１０ｍｍの木材で作成し、ブラケット（５）は幅３０ｍｍ厚さ１３ｍｍ長さ２３０ｍｍの木材で作成し、細幅織物（７）を接着する面を幅３０ｍｍとした。ゴルフバッグ口金位置想像線（１０）の深さが２２０ｍｍとなるようにブラケット（４）とブラケット（６）ブラケット（５）を木ねじ（トラスタッピング）で固定した。さらに幅３０ｍｍ厚さ１３ｍｍ長さ１００ｍｍの取っ手（３）はブラケット（５）の中央に同様に木ねじで固定した。大量生産を行うには、ブラケット（４）（５）（６）および取っ手（３）を合成樹脂で射出成型し、一体物で製作すれば安価に製作できる。ゴルフバッグ口金位置想像線（１０）の深さはゴルフバッグ運搬用具（１０１）を取り付けるゴルフバッグ口金外径より浅い方がよりしっかりとゴルフバッグ口金部を運搬用具の細幅織物（７）で締め付けることが出来、しっかりとゴルフバッグ運搬用具（１０１）を固定できる。ゴルフバッグ口金部の形状は円形でも四角形でも対応できる。又、ゴルフバッグ口金位置想像線（１０）の横幅はゴルフバッグ口金外径より少し大きい方が運搬用具（１０１）を容易に挿入でき、細幅織物（７）を締め付けるときはブラケット（４）（６）が撓んでゴルフバッグ口金部を押えて締め付けられる方がゴルフバッグ運搬用具（１０１）をゴルフバッグ口金部にしっかり固定できる。取っ手（３）はゴルフバッグ口金部にゴルフバッグ運搬用具（１０１）を挿入するときと細幅織物（７）の細幅織物締め付け用取っ手（７ａ）を持って締め付けるときの支持用の取っ手となる。細幅織物（７）はブラケット（４）の先端側に接着し、面ファスナーの反片側（フック側）はブラケット（８）の先端側へ２５ｍｍ幅のものを１５０ｍｍの長さで接着した。面ファスナーの片側（ループ側）（９）は幅２５ｍｍ長さ１５０ｍｍを使用し、細幅織物（７）を締め付けた状態で面ファスナーの反片側（フック側）（８）としっかり係止できる位置へ接着した。
タイヤ（２０１）は外径150ｍｍ幅２０ｍｍのものをブラケット（４）（６）の手元側１５ｍｍの位置へ取り付けた。タイヤ（２０１）の外径はゴルフバッグにゴルフバッグ運搬用具（１０１）を固定して着地した後取っ手（１０２）を持ち上げて移動体制をとったとき、ゴルフバッグの背袋（１０８）が地面と接触しない大きさのものがよく、外径が大きい方が移動時の引っ張る力が少なくてよく、外面にゴム等を貼り付けたものが地面を移動時の音が小さくてよい。
【産業上の利用可能性】
【００１１】
本考案に述べたゴルフバッグ運搬用具は構造が簡単で安価で軽量であり、ゴルフバッグに取っ手を取り付けることも安価で容易であり、ゴルフバッグ運搬用具は容易に取り付け取り外しができ、ゴルフバッグ運搬用具を容易に取り付ければ、重量のあるゴルフバッグを楽に移動できる用具として適用できる。
【符号の説明】
【００１２】
１    ゴルフバッグ運搬用具と取っ手を取り付けたゴルフバッグ
２    車輪部
３    取っ手
４    ブラケット
５    ブラケット
６    ブラケット
７    細幅織物
７ａ    細幅織物締め付け用取っ手
８    面ファスナーの反片側（フックまたはループ）
９    面ファスナーの片側（フックまたはループ）
１０    ゴルフバッグ口金位置想像線
１０１  ゴルフバッグ運搬用具
１０２  取っ手
１０３  ゴルフバッグ口金部
１０４  ナスカン
１０５  ハンドル
１０６  ショルダーベルト
１０７  前袋
１０８  背袋
２０１  タイヤ
２０２  ボルト
２０３  座金
２０４  ブラケット
２０５  ナット
【図１】
0003202644.tif 000003
【図２】
0003202644.tif 000004
【図３】
0003202644.tif 000005
【図４】
0003202644.tif 000006
【手続補正書】
【提出日】平成27年5月18日(2015.5.18)
【手続補正１】
【補正対象書類名】実用新案登録請求の範囲
【補正対象項目名】全文
【補正方法】変更
【補正の内容】
【実用新案登録請求の範囲】
【請求項１】
第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）の後端には車輪部（２）を取り付け、第２のブラケット（５）には第１の取っ手（３）を固定したゴルフバッグ運搬用具（１０１）の第1のブラケット（４）と第２のブラケット（５）と第３のブラケット（６）で囲われた部分をゴルフクラブの挿入口となるゴルフバッグ本体の最上部で構造補強された部分のゴルフバッグ口金部（１０３）でしかもゴルフバッグ口金部（１０３）に取り付けられたショルダーベルト（１０６）用ナスカン（１０４）とゴルフバッグ本体に取り付けられたゴルフバッグを持ち上げるときに使用するハンドル（１０５）の間に第１の取っ手（３）を持って、第１のブラケット（４）と第３のブラケット（６）の先端側を挿入後、細幅織物締め付け用取っ手（７a）を持って細幅織物（７）を引っ張ることで、第１のブラケット（４）とゴルフバッグ口金部（１０３）と第３のブラケット（６）をikennohyouji 引き締めた後、面ファスナー（８）と（９）を係止させたゴルフバッグ運搬用具（１０１）とゴルフバッグ（１）を着地後、ゴルフバッグ本体に小物入れとして取り付けられた前袋（１０７）に取り付けた第２の取っ手（１０２）を持ってゴルフバッグを移動させることを特徴とするゴルフバッグ簡易運搬用具。
【手続補正２】
【補正対象書類名】明細書
【補正対象項目名】全文
【補正方法】変更
【補正の内容】
【考案の詳細な説明】
【技術分野】
【０００１】
本考案はゴルフバッグ運搬用具およびゴルフバッグに関し、より詳しくは必要な時だけ取り付ける運搬用具とゴルフバッグ前袋の下部に取っ手を取り付けたゴルフバッグによるゴルフバッグ簡易運搬用具に関する。
【背景技術】
【０００２】
一般にゴルフバッグは肩にかけたり、持ち上げて運搬すようになっているが、必要な物を収めたゴルフバッグの重量は重く、非力な者には重労働となっていた。ゴルフ場への入場時はゴルフ場関係者が玄関近くで車からゴルフバッグを搬出してくれるため、特に問題はないが、ゴルフ場を退場する時は玄関近くまで車を移動させてゴルフバッグを積み込むか、駐車している車のところまで運搬する必要があった。駐車している車のところまで運搬する際、移動距離が長いと重労働に耐えながら苦労して運搬することになる。このような重労働を解決するために、ゴルフバッグの上部に着脱自在のコンパクトな運搬用具をゴルフバッグの前袋の下部にはコンパクトな取っ手を取り付けた、ゴルフバッグ簡易運搬用具を提供する。
【先行技術文献】
【特許文献】
【０００３】
【特許文献１】この種の従来技術としては、特許第３４５７２５２号があるが、ゴルフプレイ中にも使用できる構造になっているため、構造が複雑であり部品点数も多く、車輪部、取っ手部が大型となっており、製造原価が上昇する問題点があった。
【非特許文献】
【０００４】
【非特許文献１】ゴルフ場のカートに乗せてもらい、駐車している車のところまでゴルフバッグを運んでもらう場合もあるが、対応してくれるところは少ない。
【考案の概要】
【考案が解決しようとする課題】
【０００５】
本考案の目的は、構造が簡単で製造原価が安い、着脱が容易な運搬用具とゴルフバッグの前袋の下部に簡単な取っ手を取り付けたゴルフバッグを提供することで、楽にゴルフバッグを運搬できるようにすることである。
【課題を解決するための手段】
【０００６】
本考案の目的は、  第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）の後端には車輪部（２）を取り付け、第２のブラケット（５）には第１の取っ手（３）を固定したゴルフバッグ運搬用具（１０１）の第1のブラケット（４）と第２のブラケット（５）と第３のブラケット（６）で囲われた部分をゴルフクラブの挿入口となるゴルフバッグ本体の最上部で構造補強された部分のゴルフバッグ口金部（１０３）でしかもゴルフバッグ口金部（１０３）に取り付けられたショルダーベルト（１０６）用ナスカン（１０４）とゴルフバッグ本体に取り付けられたゴルフバッグを持ち上げるときに使用するハンドル（１０５）の間に第１の取っ手（３）を持って、第１のブラケット（４）と第３のブラケット（６）の先端側を挿入後、細幅織物締め付け用取っ手（７a）を持って細幅織物（７）を引っ張ることで、第１のブラケット（４）とゴルフバッグ口金部（１０３）と第３のブラケット（６）をikennohyouji 引き締めた後、面ファスナー（８）と（９）を係止させたゴルフバッグ運搬用具（１０１）とゴルフバッグ（１）を着地後、ゴルフバッグ本体に小物入れとして取り付けられた前袋（１０７）に取り付けた第２の取っ手（１０２）を持ってゴルフバッグを移動させることを特徴とするゴルフバッグ簡易運搬用具により達成される。
【考案の効果】
【０００７】
本考案に述べたゴルフバッグ簡易運搬用具により、ゴルフプレイ中は運搬用具を取り外して、通常のプレイが出来、ゴルフプレイが終了後、駐車場の自家用車まで肩にゴルフバッグを掛けたり、持ち上げて運搬する必要がなく、容易に運搬用具を取り付ければほとんどの重量が車輪にかかるため、楽にゴルフバッグを移動できる。
【図面の簡単な説明】
【０００８】
【図１】図１は本考案の全体説明図である。ゴルフバッグの口金部（１０３）に  ゴルフバッグ運搬用具（１０１）を取り付け、第２の取っ手（１０２）を手で持って移動する様子を示したものである。
【図２】図２はゴルフバッグ運搬用具（１０１）の正面図である。
【図３】図３は図２の右側面図である。
【図４】図４は車輪部（２）で図３に示すＡ−Ａ’線切断部端面図である。
【考案を実施するための形態】
【０００９】
ゴルフバッグの口金部（１０３）にゴルフクラブのヘッド部分があり重量が集中するため、ゴルフバッグ口金部（１０３）に２個の車輪を取り付けたゴルフバッグ運搬用具（１０１）を取り付けることと、ゴルフバッグが地面とずれないように持ち上げ、さらに引っ張るための第２の取っ手（１０２）をゴルフバッグの前袋（１０７）に取り付けたことで、ゴルフバッグを楽に移動できることを実現した。
【実施例】
【００１０】
図１は本案の実施例を示す。市販９インチのゴルフバッグの前袋（１０７）のハンドル（１０５）側に第２の取っ手（１０２）を前袋（１０７）用のファスナーの開閉の邪魔にならない位置へ細幅織物を接着して取っ手とした。ボトムグリップが設けてあるゴルフクラブは第２の取っ手（１０２）の代用となるがやや取り扱いにくい。ゴルフバッグ運搬用具（１０１）は図２に示す通り、第１のブラケット（４）と第３のブラケット（６）は幅３０ｍｍ厚さ１３ｍｍ長さ３１０ｍｍの木材で作成し、第２のブラケット（５）は幅３０ｍｍ厚さ１３ｍｍ長さ２３０ｍｍの木材で作成し、細幅織物（７）を接着する面を幅３０ｍｍとした。第１のブラケット（４）と第２のブラケット（５）と第３のブラケット（６）で囲んだ溝の深さが２２０ｍｍとなるように第１のブラケット（４）と第３のブラケット（６）第２のブラケット（５）を木ねじ（トラスタッピング）で固定した。さらに幅３０ｍｍ厚さ１３ｍｍ長さ１００ｍｍの第１の取っ手（３）は第２のブラケット（５）の中央に同様に木ねじで固定した。大量生産を行うには、第１から第３のブラケット（４）（５）（６）および第１の取っ手（３）を合成樹脂で射出成型し、一体物で製作すれば安価に製作できる。第１のブラケット（４）と第２のブラケット（５）と第３のブラケット（６）で囲んだ溝の深さはゴルフバッグ運搬用具（１０１）を取り付けるゴルフバッグ口金部（１０３）外径より浅い方がよりしっかりとゴルフバッグ口金部（１０３）を運搬用具の細幅織物（７）で締め付けることが出来、しっかりとゴルフバッグ運搬用具（１０１）を固定できる。ゴルフバッグ口金部（１０３）の形状は円形でも四角形でも対応できる。又、第１のブラケット（４）と第２のブラケット（５）と第３のブラケット（６）で囲んだ溝の横幅はゴルフバッグ口金部（１０３）外径より少し大きい方がゴルフバッグ運搬用具（１０１）を容易に挿入でき、細幅織物（７）を締め付けるときは第１と第３のブラケット（４）（６）が撓んでゴルフバッグ口金部（１０３）を押えて締め付けられる方がゴルフバッグ運搬用具（１０１）をゴルフバッグ口金部（１０３）にしっかり固定できる。第１の取っ手（３）はゴルフバッグ口金部（１０３）にゴルフバッグ運搬用具（１０１）を挿入するときと細幅織物（７）の細幅織物締め付け用取っ手（７ａ）を持って締め付けるときの支持用の取っ手となる。細幅織物（７）は第１のブラケット（４）の先端側に接着し、面ファスナーの反片側（フック側）（８）は第３のブラケット（６）の先端側へ２５ｍｍ幅のものを１５０ｍｍの長さで接着した。面ファスナーの片側（ループ側）（９）は幅２５ｍｍ長さ１５０ｍｍを使用し、細幅織物（７）を締め付けた状態で面ファスナーの反片側（フック側）（８）としっかり係止できる位置へ接着した。 タイヤ（２０１）は外径１５０ｍｍ幅２０ｍｍのものを第１第３のブラケット（４）（６）の手元側１５ｍｍの位置へ取り付けた。タイヤ（２０１）の外径はゴルフバッグ（１）にゴルフバッグ運搬用具（１０１）を固定して着地した後第２の取っ手（１０２）を持ち上げて移動体制をとったとき、ゴルフバッグ本体に取り付けた背袋（１０８）が地面と接触しない大きさのものがよく、��径が大きい方が移動時の引っ張る力が少なくてよく、外面にゴム等を貼り付けたものが地面を移動時の音が小さくてよい。
【産業上の利用可能性】
【００１１】
本考案に述べたゴルフバッグ運搬用具は構造が簡単で安価で軽量であり、ゴルフバッグに取っ手を取り付けることも安価で容易であり、ゴルフバッグ運搬用具は容易に取り付け取り外しができ、ゴルフバッグ運搬用具を容易に取り付ければ、重量のあるゴルフバッグを楽に移動できる用具として適用できる。
【符号の説明】
【００１２】
１    ゴルフバッグ運搬用具と取っ手を取り付けたゴルフバッグ 
２    車輪部 
３    第１の取っ手 
４    第１のブラケット 
５    第２のブラケット 
６    第３のブラケット 
７    細幅織物 
７ａ    細幅織物締め付け用取っ手 
８    面ファスナーの反片側（フックまたはループ） 
９    面ファスナーの片側（フックまたはループ） 
１０    ゴルフバッグ口金位置想像線 
１０１  ゴルフバッグ運搬用具 
１０２  第２の取っ手 
１０３  ゴルフバッグ口金部 
１０４  ナスカン 
１０５  ハンドル 
１０６  ショルダーベルト 
１０７  前袋 
１０８  背袋 
２０１  タイヤ 
２０２  ボルト 
２０３  座金 
２０４  ブラケット 
２０５  ナット
【手続補正３】
【補正対象書類名】図面
【補正対象項目名】図２
【補正方法】変更
【補正の内容】
【図２】
0003202644.tif 000007
【手続補正書】
【提出日】平成27年6月18日(2015.6.18)
【手続補正１】
【補正対象書類名】実用新案登録請求の範囲
【補正対象項目名】全文
【補正方法】変更
【補正の内容】
【実用新案登録請求の範囲】
【請求項１】
第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）後端を固定したことを特徴とするゴルフバッグ簡易運搬用具。 
【手続補正３】
【補正対象書類名】明細書
【補正対象項目名】０００６
【補正方法】変更
【補正の内容】
【０００６】本考案の目的は、第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）後端を固定したことを特徴とするゴルフバッグ簡易運搬用具により達成される。
【手続補正書】
【提出日】平成27年12月11日(2015.12.11)
【手続補正１】
【補正対象書類名】実用新案登録請求の範囲
【補正対象項目名】全文
【補正方法】変更
【補正の内容】
【実用新案登録請求の範囲】
【請求項１】
第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）の後端には車輪部（２）を取り付け、第２のブラケット（５）には第１の取っ手（３）を固定したことを特徴とするゴルフバッグ簡易運搬用具。
【手続補正３】
【補正対象書類名】明細書
【補正対象項目名】０００６
【補正方法】変更
【補正の内容】
【０００６】
本考案の目的は、第１のブラケット（４）と第３のブラケット（６）と第２のブラケット（５）をＨ型に固定し、第１のブラケット（４）の先端側に細幅織物（７）を固定し、細幅織物（７）に面ファスナーの片側（フックまたはループ）（９）を固定し、第３のブラケット（６）の先端側に面ファスナーの反片側（フックまたはループ）（８）を固定し、第１のブラケット（４）と第３のブラケット（６）の後端には車輪部（２）を取り付け、第２のブラケット（５）には第１の取っ手（３）を固定したことを特徴とするゴルフバッグ簡易運搬用具により達成される。